(57)【要約】【課題】デザインテンプレートに応じた情報入力を簡単かつ確実に、情報の過不足なく行なうことが可能である。【解決手段】この情報入力装置は、少なくとも入力情報によって変更されるテンプレート情報を有するデザインテンプレートと、テンプレート情報を入力する情報入力手段と、情報入力手段により入力された入力情報をテンプレート情報に応じて加工する情報加工手段とを備える。【選択図】図１
2005108050.tif 000002
【特許請求の範囲】
【請求項１】
少なくとも入力情報によって変更されるテンプレート情報を有するデザインテンプレートと、
テンプレート情報を入力する情報入力手段と、
前記情報入力手段により入力された前記入力情報を前記テンプレート情報に応じて加工する情報加工手段とを備えることを特徴とする情報入力装置。
【請求項２】
前記情報加工手段は、入力された言語表記を他の言語に変換する加工を行なうことを特徴とする請求項１に記載の情報入力装置。
【請求項３】
前記情報加工手段は、入力された情報から関連する情報に変換する加工を行なうことを特徴とする請求項１に記載の情報入力装置。
【請求項４】
ネットワークに接続され、デザイン決定情報を入力し、デザインに用いる画像を配信して前記デザイン注文を行なうユーザ端末と、
前記ネットワークに接続され、受発注サーバを介して前記デザイン注文の受付、前記デザイン注文に基づきデザイン作成作業の発注及び受発注管理を行なう受発注管理者端末と、
前記ネットワークに接続され、前記デザイン作成作業の発注に基づきデザイン作成を行なう作業者端末とを有し、
前記ユーザ端末から予め記憶された少なくとも入力情報によって変更されるテンプレート情報を有するデザインテンプレートを選択し、情報入力手段により前記デザインテンプレートに表示される情報を入力し、前記入力情報を前記テンプレート情報に応じて加工し、前記デザイン注文を行なうことを特徴とする受発注システム。
【請求項５】
前記情報加工は、入力された言語を他の言語に変換する加工を行なうことを特徴とする請求項４に記載の受発注システム。
【請求項６】
前記情報加工は、入力された情報から関連する情報に変換する加工を行なうことを特徴とする請求項４に記載の受発注システム。
【発明の詳細な説明】
【技術分野】
【０００１】
この発明は、例えばネットワークを利用したポストカード等の注文に用いる情報入力装置及び受発注システムに関する。
【背景技術】
【０００２】
従来より、例えばポストカードなどの作成では、画像処理ソフトを用いて作業者が文字や画像等の合成のデータを作成しており、画像の合成作業は作業者の熟練や技量に依存していたので、年賀用ポストカードのように大量生産を前提とした画像処理を行うとした場合、作業者の熟練や技量に頼る部分が多く品質が安定しないこと、写真画像入力、文字入力、イラスト入力を逐次行うため作業性も悪くなっている。
【０００３】
このため、例えば複雑な合成も自動的に行うことが可能なカード作成システムが提供されているが（例えば、特許公報１）、カテゴリ（結婚、誕生、転居）毎にデザインテンプレートを用意し、このデザインテンプレートによってカードのデザインを作成するようにすると、間違いなく大量の作業を行なうことができるようになる。
【特許文献１】特開平１１−１１２７８４号公報
【発明の開示】
【発明が解決しようとする課題】
【０００４】
ところで、この場合デザインテンプレートによって、必要情報が異なるため、同じ入力のフォームで情報入力させると過不足のデータとなってしまうことがある。また、ユーザとしては、個人情報保護の観点からも、過剰な情報は入力したくないし、時間ももったいないことがある。
【０００５】
また、不足データがあった場合、何度も情報を聞かれ、デザイン作成工程にかかるデザイナーは、余計なデータがあると作業をしにくいし、不足なデータがあった場合、情報を入手しなければならず、作業効率が悪くなる。
【０００６】
また、デザインテンプレートには、例えば星座や記念日等を英語で入れるサービスも提供できるが、この際に、ユーザは英語で入力するのは大変なので、日本語で入力を行うと楽である。また、デザイナーは、日本語でデータをもらった場合、英語にするため辞書を調べたり、知っている単語であってもスペルミスをしないために、英語での情報提供が要望される。
【０００７】
この発明は、かかる点に鑑みてなされたもので、デザインテンプレートに応じた情報入力を簡単かつ確実に、情報の過不足なく行なうことが可能な情報入力装置及び受発注システムを提供することを目的としている。
【課題を解決するための手段】
【０００８】
前記課題を解決し、かつ目的を達成するために、この発明は、以下のように構成した。
【０００９】
請求項１に記載の発明は、予め記憶された少なくとも入力情報によって変更されるテンプレート情報を有するデザインテンプレートと、
テンプレート情報を入力する情報入力手段と、
前記情報入力手段により入力された前記入力情報を前記テンプレート情報に応じて加工する情報加工手段とを備えることを特徴とする情報入力装置である。
【００１０】
請求項２に記載の発明は、前記情報加工手段は、入力された言語を他の言語に変換する加工を行なうことを特徴とする請求項１に記載の情報入力装置である。  請求項３に記載の発明は、前記情報加工手段は、入力された情報から関連する情報に変換する加工を行なうことを特徴とする請求項１に記載の情報入力装置である。
【００１１】
請求項４に記載の発明は、ネットワークに接続され、デザイン決定情報を入力し、デザインに用いる画像を配信して前記デザイン注文を行なうユーザ端末と、  前記ネットワークに接続され、受発注サーバを介して前記デザイン注文の受付、前記デザイン注文に基づきデザイン作成作業の発注及び受発注管理を行なう受発注管理者端末と、
前記ネットワークに接続され、前記デザイン作成作業の発注に基づきデザイン作成を行なう作業者端末とを有し、
前記ユーザ端末から予め記憶された少なくとも入力情報によって変更されるテンプレート情報を有するデザインテンプレートを選択し、情報入力手段により前記デザインテンプレートに表示される情報を入力し、前記入力情報を前記テンプレート情報に応じて加工し、前記デザイン注文を行なうことを特徴とする受発注システムである。
【００１２】
請求項５に記載の発明は、前記情報加工は、入力された言語を他の言語に変換する加工を行なうことを特徴とする請求項４に記載の受発注システムである。
【００１３】
請求項６に記載の発明は、前記情報加工は、入力された情報から関連する情報に変換する加工を行なうことを特徴とする請求項４に記載の受発注システムである。
【発明の効果】
【００１４】
前記構成により、この発明は、以下のような効果を有する。
【００１５】
請求項１に記載の発明では、デザインテンプレートが予め記憶された少なくとも入力情報によって変更されるテンプレート情報を有し、情報入力手段により入力された入力情報をテンプレート情報に応じて加工することで、デザインテンプレートに応じた情報入力を簡単かつ確実に、情報の過不足なく行なうことができる。
【００１６】
請求項２に記載の発明では、入力された言語を他の言語に変換する加工を行なうことで、例えばユーザが日本語で入力を行うと英語に間違いなく変換することができ、作業性も向上する。
【００１７】
請求項３に記載の発明では、入力された情報から関連する情報に変換する加工を行なうことで、例えばユーザの生年月日を入力すると、星座や年齢や干支等に間違いなく変換することができ、作業性も向上する。
【００１８】
請求項４に記載の発明では、例えばネットワークを利用したポストカード等の注文に用いる場合、ユーザ端末から予め記憶された少なくとも入力情報によって変更されるテンプレート情報を有するデザインテンプレートを選択し、情報入力手段によりデザインテンプレートに表示される情報を入力し、入力情報をテンプレート情報に応じて加工することで、デザインテンプレートに応じた情報入力を簡単かつ確実に、情報の過不足なくデザイン注文を行なうができる。
【００１９】
請求項５に記載の発明では、受発注システムに入力された言語を他の言語に変換する加工を行なうことで、例えばユーザが日本語で入力を行うと英語に間違いなく変換することができ、作業性も向上する。
【００２０】
請求項６に記載の発明では、受発注システムに入力された情報から関連する情報に変換する加工を行なうことで、例えばユーザの生年月日を入力すると、星座や年齢や干支等に間違いなく変換することができ、作業性も向上する。
【発明を実施するための最良の形態】
【００２１】
以下、この発明の情報入力装置及び受発注システムの実施の形態について説明するが、この発明は、この実施の形態に限定されない。また、この発明の実施の形態は、発明の最も好ましい形態を示すものであり、この発明の用語はこれに限定されない。
【００２２】
図１は情報入力装置及び受発注システムを示す図である。図１において、ネットワーク１に、受発注サーバ２、ユーザ端末３、作業者端末４、受発注管理者端末５が接続され、それぞれネットワーク１を介して通信可能となっている。
【００２３】
ネットワーク１は、コンピュータ・システム、端未、データ通信設備を相互に接続したものをいう。接続は専用回線、公衆回線のような有線で接続されていても良いし、通信衛星などを通じて無線で接続されていてもよいし、それらの複合形態で接続されていても良い。いわゆるインターネットなどもネットワークに含まれる。
【００２４】
受発注サーバ２は、ネットワーク１を介し、デザイン注文の受付、デザイン注文に基づきデザイン作成作業の発注及び受発注管理を行なうと共に、デザインに用いる画像閲覧、画像保管、顧客情報管理など、ネットワーク画像サービスを提供可能な機能を有する。
【００２５】
ユーザ端末３は、パーソナルコンピュータ、携帯情報端末（ＰＤＡ）、携帯電話等で文字情報と画像情報の送受信が可能な電子機器端末であればよい。パーソナルコンピュータや携帯情報端末（ＰＤＡ）では、デジタルカメラと接続したり、画像を記録した記録媒体をセットして画像の取り込みを行ない、またスキャナ等から画像の取り込みを行なうことができる。デジタルカメラを備える携帯電話では、デジタルカメラの撮像で画像の取り込みを行なうことができ、デジタルカメラを備えない携帯電話では、他の電子機器からの通信により画像を受信して画像の取り込みを行なうことができる。
【００２６】
このユーザ端末３では、デザイン決定情報を入力し、デザインに用いる画像を配信してデザイン注文を行なう。このデザイン注文を、図２乃至図１５に示す。  受発注管理者端末５は、受発注サーバ２を介してデザイン注文の受付、デザイン注文に基づきデザイン作成作業の発注及び受発注管理を行なうと共に、デザインに用いる画像を表示可能である。
【００２７】
作業者端末４は、画像編集画面上でのデザイン作成作業の発注に基づきデザイン作成作業を行なう。デザイン作成作業とは画像加工や画像修正、例えば画像から背景等の不要物の除去、赤目修正等を言うがこれに限られない。
【００２８】
この実施の形態では、ユーザ端末３から予め記憶された少なくとも入力情報によって変更されるテンプレート情報を有するデザインテンプレートを選択する。デザインテンプレートは、受発注サーバ２に予めカテゴリ（結婚、誕生、転居等）毎に用意されている。ユーザ端末３のキーボード等の情報入力手段３ａによりデザインテンプレートに表示される情報を入力し、受発注サーバ２の情報加工手段２ａが入力情報をテンプレート情報に応じて加工し、デザイン注文を行なう。  情報加工手段２ａは、入力された言語を他の言語に変換する加工を行なう。例えばユーザが日本語で入力を行うと英語に間違いなく変換することができ、作業性も向上する。また、入力された情報から関連する情報に変換する加工を行なう。例えばユーザの生年月日を入力すると、星座や年齢や干支等に間違いなく変換することができ、作業性も向上する。
【００２９】
このように、例えばネットワークを利用したポストカード等の注文に用いる場合、ユーザ端末３から予め記憶された少なくとも入力情報によって変更されるテンプレート情報を有するデザインテンプレートを選択し、情報入力手段３ａによりデザインテンプレートに表示される情報を入力し、入力情報をテンプレート情報に応じて加工することで、デザインテンプレートに応じた情報入力を簡単かつ確実に、情報の過不足なくデザイン注文を行なうことができる。
【００３０】
情報加工手段２ａは、受発注サーバ２にある必要はなく、ユーザ端末３や作業者端末４にあっても良い。その場合、ユーザ端末３と作業者端末４をＬＡＮ接続、もしくは、メディアによりデータをやり取りすることでも実現可能である。
【００３１】
次に、ユーザ端末３を用いて行なうデザイン注文のフローを図２に示し、このデザイン注文を行なうユーザ端末３の画面を図３乃至図１６に示す。
【００３２】
デザイン注文のフローは、図２のステップは順番を入れ替え、画像アップロードや受取・支払方法選択を先に行なっても良い。また、プリント注文は行なっても、行なわなくとも良い。
［ステップａ１］
まず、デザイン注文時には、年賀、結婚、誕生、転居等からカテゴリの選択を行なう。図３は年賀のカテゴリを選択したデザイン選択画面２０を示す。このように年賀、結婚、誕生、転居等のカテゴリ毎に予め複数のデザインテンプレート２０ａが用意されている。
［ステップａ２］
図３の年賀のカテゴリを選択したデザイン選択画面２０には、複数のデザインテンプレートが表示されており、この複数のデザインテンプレートの内からいずれか希望するデザインテンプレート２０ａを選択する。この選択されたデザインテンプレート２０ａを図４に示し、デザインテンプレート２０ａは、入力情報によって変更されるテンプレート情報２０ａ１〜２０ａ５と画像２０ａ６とを有する。テンプレート情報２０ａ１は、星座、テンプレート情報２０ａ２は、赤ちゃんの身長、テンプレート情報２０ａ３は、赤ちゃんの体重、テンプレート情報２０ａ４は、赤ちゃんの名前（ローマ字）、テンプレート情報２０ａ５は、赤ちゃんの誕生日であり、それぞれ英語でデザインされる。
［ステップａ３］
図５の注文情報入力画面２１において、選択されたデザインテンプレートに入れるデザイン注文情報を入力する。デザイン注文情報は、カラー２１ａ、タイトルフォント２１ｂ、オリジナルコメント２１ｃ、デザイン面に記載する個人情報２１ｄである。デザイン面に記載する個人情報２１ｄには、差出人情報２１ｄ１、その他の情報２１ｄ２、必須項目２１ｄ３がある。必須項目２１ｄ３には、赤ちゃんの名前（ローマ字）、赤ちゃんの身長、赤ちゃんの体重、星座、赤ちゃんの誕生日があり、これらは日本語で入力される。
【００３３】
星座の入力は、図６（ａ）に示すように、星座をクリックすると星座の一覧が表示され、生まれた日を選択すると該当する星座が入力される。また、赤ちゃんの誕生日の入力は、図６（ｂ）に示すように、誕生日の生年月日をクリックして表示し、該当する生年月日を選択して入力する。  
【００３４】
必須項目２１ｄ３の日本語入力した赤ちゃんの名前（ローマ字）、赤ちゃんの身長、赤ちゃんの体重、星座、赤ちゃんの誕生日がデザインテンプレートのデザイン面の英語に変換される。
［ステップａ４］
図７の画像のアップロード画面２２において、選択されたデザインテンプレートの画像２０ａ６に入力される画像２２ａをアップロードする。この画像２２ａのアップロードは、所定のファイル形式で行ない、アップロードしない場合、写真郵送で申し込みを行なうこともできる。
［ステップａ５］
図８のデザイン内容確認画面２３において、デザイン２３ａ、選択画像２３ｂ、印字内容２３ｃを表示することで、デザイン注文の確認を行なう。ここでは、入力した情報と変換後の情報を両方確認することができる。確認できるのは、入力した情報のみ、変換後の情報のみでもかまわない。
［ステップａ６］
図９のクレジットカード情報入力画面２４において、デザイン料金２４ａ、デザイン完成予定日２４ｂの表示で確認し、クレジットカード情報２４ｃを入力する。デザイン料金の支払いは、クレジットカードだけでなく、店頭支払い銀行振込み等でも良い。
［ステップａ７］
プリントを行う場合は、以下のステップを行なう。
【００３５】
図１０のはがき種類・枚数入力画面２５において、はがき種類２５ａ、枚数２５ｂを入力し、このはがき種類・枚数入力によって料金２５ｃが表示される。
［ステップａ８］
図１１のプリント注文料金確認画面２６において、プリント料金一覧２６ａを表示し、プリント注文料金を確認する。
［ステップａ９］
図１２の受取・支払い方法選択画面２７において、受取方法２７ａ、支払い方法２７ｂを選択する。受取方法２７ａには、店頭と配送があり、支払い方法２７ｂには、店舗支払いとクレジットカード等がある。
［ステップａ１０］
受取方法２７ａで店頭が選択されると、図１３の店頭選択画面２８において、写真屋２８ａ、コンビニ等２８ｂから最寄りの取扱店を選択する。
［ステップａ１１］
受取方法２７ａで配送が選択されると、図１４の送付先・クレジットカード情報入力画面２９において、送付先２９ａ、クレジットカード情報２９ｂを入力する。
［ステップａ１２］
店舗選択または送付先・クレジットカード情報入力が行なわれると、図１５のプリント注文最終確認画面３０において、デザイン３０ａ、選択画像３０ｂ、印字内容３０ｃ、デザイン料金３０ｄ、デザイン完成予定日３０ｅ、プリント料金３０ｆ（受取方法、支払方法、送付先、お渡し予定日）、料金一覧３０ｇが表示され、これによりプリント注文の最終確認を行なう。この印字内容では、再度、入力情報と変換後の情報を確認できる。
［ステップａ１３］
図１６のデザイン注文完了画面３１において、ＯＫボタン３１ａをクリックするデザイン注文番号３１ｂを表示してデザイン注文が終了する。
【産業上の利用可能性】
【００３６】
例えばポストカード等のデザインをデザインテンプレートによって作成し、間違いなく大量の作業を行なうことができ、ネットワークを利用したポストカードの注文等に用いることができる。
【図面の簡単な説明】
【００３７】
【図１】情報入力装置及び受発注システムを示す図である。
【図２】ユーザ端末を用いて行なうデザイン注文のフローである。
【図３】年賀のカテゴリを選択したデザイン選択画面を示す図である。
【図４】選択されたデザインテンプレートを示す図である。
【図５】注文情報入力画面を示す図である。
【図６】星座と誕生日の生年月日の入力を示す図である。
【図７】画像のアップロード画面を示す図である。
【図８】デザイン内容確認画面を示す図である。
【図９】クレジットカード情報入力画面を示す図である。
【図１０】はがき種類・枚数入力画面を示す図である。
【図１１】プリント注文料金確認画面を示す図である。
【図１２】受取・支払い方法選択画面を示す図である。
【図１３】店頭選択画面を示す図である。
【図１４】送付先・クレジットカード情報入力画面を示す図である。
【図１５】プリント注文最終確認画面を示す図である。
【図１６】デザイン注文完了画面を示す図である。
【符号の説明】
【００３８】
１  ネットワーク
２  受発注サーバ
３  ユーザ端末
４  作業者端末
５  受発注管理者端末
２０  デザイン選択画面
２０ａ  デザインテンプレート
２１  注文情報入力画面
２２  画像のアップロード画面
２３  デザイン内容確認画面
２４  クレジットカード情報入力画面  
２５  はがき種類・枚数入力画面
２６  プリント注文料金確認画面
２７  受取・支払い方法選択画面
２８  店頭選択画面
２９  送付先・クレジットカード情報入力画面
３０  プリント注文最終確認画面
【図１】
2005108050.tif 000003
【図２】
2005108050.tif 000004
【図３】
2005108050.tif 000005
【図４】
2005108050.tif 000006
【図５】
2005108050.tif 000007
【図６】
2005108050.tif 000008
【図７】
2005108050.tif 000009
【図８】
2005108050.tif 000010
【図９】
2005108050.tif 000011
【図１０】
2005108050.tif 000012
【図１１】
2005108050.tif 000013
【図１２】
2005108050.tif 000014
【図１３】
2005108050.tif 000015
【図１４】
2005108050.tif 000016
【図１５】
2005108050.tif 000017
【図１６】
2005108050.tif 000018